(57)【特許請求の範囲】
【請求項１】
エンジニアリングサービスアイテムのためのマウントアセンブリであって、
剛性材料から作られた本体を含む基部であって、前記本体は内部ねじを含む開口部と、カラーとを有し、前記カラーは前記開口部を取り囲み、かつ前記内部ねじの少なくとも一部を含む、該基部と、
弾性要素とを含み、
前記弾性要素は、
弾性材料からなる弾性要素本体と、
前記弾性要素本体のなかに少なくとも一部が埋め込まれたアイテム取付けメンバを含むアイテム取付点と、
前記弾性要素本体に形成され、前記基部内に螺合され、かつ、前記アイテム取付点及び前記基部の間に延在し、前記基部の前記内部ねじである雌ねじと螺合可能に適合された外部ねじとを含むことを特徴とするマウントアセンブリ。
【請求項２】
請求項１に記載のマウントアセンブリであって、
前記弾性要素は、円筒形部分と前記外部ねじとを有する、前記弾性材料の固体を含むことを特徴とするマウントアセンブリ。
【請求項３】
請求項１または２に記載のマウントアセンブリであって、
前記マウントアセンブリは、前記基部から吊るされる、支持レールに対して摺動すべく適合されたキャリッジを更に含むことを特徴とするマウントアセンブリ。
【請求項４】
請求項３に記載のマウントアセンブリであって、
前記キャリッジは、前記支持レールに摺動可能に係合すべく適合されていることを特徴とするマウントアセンブリ。
【請求項５】
請求項３または４に記載のマウントアセンブリであって、
前記キャリッジは、弾性材料の固体部分を含むことを特徴とするマウントアセンブリ。
【請求項６】
請求項２〜５のいずれか１項に記載のマウントアセンブリであって、
前記弾性材料は、エラストマ材料を含むことを特徴とするマウントアセンブリ。
【請求項７】
請求項３に記載のマウントアセンブリであって、
前記キャリッジは、成型プロセスによって形成されることを特徴とするマウントアセンブリ。
【請求項８】
請求項７に記載のマウントアセンブリであって、
前記キャリッジは、前記キャリッジの形成プロセス中に前記基部に成型されることを特徴とするマウントアセンブリ。
【請求項９】
請求項１に記載のマウントアセンブリであって、
前記弾性要素は、成型プロセスによって形成されることを特徴とするマウントアセンブリ。
【請求項１０】
請求項９に記載のマウントアセンブリであって、
前記アイテム取付けメンバは、前記弾性要素の成型プロセスの間に、前記弾性要素に成型されることを特徴とするマウントアセンブリ。
【請求項１１】
請求項１に記載のマウントアセンブリであって、
前記アイテム取付けメンバは、ファスナ用のナットを含むことを特徴とするマウントアセンブリ。
【請求項１２】
請求項１に記載のマウントアセンブリであって、
前記アイテム取付けメンバは、ヘッドによって前記弾性要素に埋め込まれたボルトを含むことを特徴とするマウントアセンブリ。
【発明の詳細な説明】
【技術分野】
【０００１】
本出願は、２０１５年２月２６日出願の豪州特許仮出願第２０１５９００６８３号を基礎とする優先権を主張するものであり、同出願の内容は、その全体が参照により本明細書に組み込まれる。
【０００２】
本発明は、エンジニアリングサービスのためのマウントアセンブリに関し、特定の形態において、本発明は、暖房、換気、及び空調（ＨＶＡＣ）システムのエアハンドリングユニット（ＡＨＵ）のためのマウントアセンブリに関する。
【背景技術】
【０００３】
暖房、換気、及び空調（ＨＶＡＣ）システムのＡＨＵは、建物のためのエンジニアリングサービスの１つの例である。ＡＨＵは、屋根や壁の上、または天井や天井裏などの高い位置に一般的に取付けられる。
【０００４】
微震、または地震などの地震活動の場合に、エンジニアリングサービスが取付け物から外れ、高い取付け位置から下にいる人々の上に落ちるなどの悲惨な結果を潜在的に招くことが知られている。
【発明の概要】
【課題を解決するための手段】
【０００５】
この背景と、それに関連する問題及び困難とに対応して、本発明は発展した。
【０００６】
本発明の特定の目的及び利点は、添付の図面に関連した以下の説明から明らかになろう。ここで、図面、及び実施例によって本発明の実施形態が開示される。
【０００７】
第１の態様によれば、エンジニアリングサービスアイテムのためのマウントアセンブリが提供され、前記マウントアセンブリは本体を有する基部を含み、前記本体は内部に開口部を含み、前記開口部は内部（すなわち雌）ねじを含み、前記マウントアセンブリはアイテム取付点と、基部の前記雌ねじに螺合すべく適合された外部（すなわち雄）ねじとを含む弾性要素を更に含み、前記弾性要素は前記基部に螺合され、前記アイテム取付点及び前記基部の間に介在する。
【０００８】
本明細書の目的のために、「アイテム取付点」という用語は、外部負荷を支えるべく設計された任意の部分を包含するものと見なされるべきである。
【０００９】
一形態では、基部は、開口部を取り囲むカラーを含み、前記カラーは雌ねじの少なくとも一部を含む。
【００１０】
一形態では、基部は、カラーから外向きに延在するフランジを含み、前記フランジは前記カラーを実質的に取り囲む。
【００１１】
一形態では、弾性要素は弾性材料の固体本体を含む。
【００１２】
一形態では、アイテム取付点は取付けメンバを含み、前記取付けメンバの少なくとも一部は弾性要素に埋め込まれる。
【００１３】
一形態では、マウントアセンブリは、基部から吊るされるキャリッジを更に含み、前記キャリッジは、支持レールに対して摺動すべく適合されている。
【００１４】
一形態では、キャリッジは、レールに摺動可能に係合すべく適合されている。
【００１５】
一形態では、キャリッジは、弾性材料の固体部分を含む。
【００１６】
一形態では、弾性材料はエラストマ材料を含む。
【００１７】
一形態では、基部は硬質材料から作られる。
【００１８】
一形態では、弾性材料は成型性材料を含む。
【００１９】
一形態では、エラストマ材料のキャリッジは成型プロセスによって形成される。
【００２０】
一形態では、キャリッジは、キャリッジの成型プロセス中に基部に成型される。この目的のため、キャリッジ基部は、成型可能な弾性材料が、基部に対してキャリッジを固定すべく形成することができる特徴（雄及び雌）を含む。
【００２１】
一形態では、エラストマ材料の弾性要素は、成型プロセスによって形成される。
【００２２】
一形態では、取付けメンバは、弾性要素の形成プロセス中に弾性要素内に成型される。
【００２３】
一形態では、アイテム取付けメンバは、ファスナのためのナットを含む。
【００２４】
一形態では、アイテム取付けメンバは、そのヘッドによって弾性要素内に埋め込まれたボルトを含む。
【００２５】
一形態では、弾性要素は円筒状であり、カラーは協同的に形作られている。
【００２６】
一形態では、代替的に、弾性要素は円錐形である。
【００２７】
本発明の更なる態様によれば、エンジニアリングサービスアイテム用のマウントアセンブリが提供され、マウントアセンブリは、基部と、アイテム取付点を含む弾性要素とを含み、弾性要素は、アイテム取付点及び基部の間に介在する。
【００２８】
一形態では、基部はレールを含み、弾性要素はレールに沿って走行するキャリッジを含む。
【００２９】
一形態では、取付点は荷重（エンジニアリングサービスアイテム）を吊るすことのできる寸切ボルトを含む。
【００３０】
一形態では、寸切ボルトは、弾性要素を貫通して延在する。
【００３１】
一形態では、寸切ボルトは、レール内の開口部まで延在する。
【００３２】
一形態では、レールは、スロットを含むチャネルを含む。一形態では、チャネル及びスロットの両者はレールの伸長方向に延在する。
【００３３】
一形態では、レールは、底、対向する１対の側部、及び対向する側部の各々から垂れ下がる内側に向いた縁部を含む。
【００３４】
一形態では、キャリッジは、弾性材料の本体を含み、本体は、一対の側部と一対の端部とを含む略直方体である。
【００３５】
一形態では、キャリッジの本体の対向する一対の側部の各々が、その中のチャネル縁部の１つを摺動可能に受け入れるべく適合されたガイドスロットを含む。
【００３６】
一形態では、レールは、金属チャネルを含む。
【００３７】
本発明の１つ以上の実施形態の詳細な説明は、本発明の原理を例として示す添付の図面と共に以下に提供される。本発明は、このような実施形態に関連して説明されるが、本発明はいかなる実施形態にも限定されないことを理解されたい。むしろ、本発明の範囲は添付の特許請求の範囲によってのみ限定され、本発明は、多数の代替、変更、及び均等物を包含する。例として、本発明の完全な理解を提供するために、多くの具体的な詳細を以下の説明に記載する。
【００３８】
本発明の更なる理解のため、好ましい実施形態について説明する。しかし、本発明の範囲は、以下に記載される実施形態の詳細に制限されず、また限定されないことが理解されよう。当業者には容易に明らかである変形及び変更は、本発明の範囲内に含まれるものであると見なされる。
【００３９】
本発明の実施形態を添付の図面を参照して説明する。
【図面の簡単な説明】
【００４０】
【図１】本発明の第１の実施形態によるマウントアセンブリの等角図である。
【図２】図１のマウントアセンブリの側面図である。
【図３】図１及び図２のマウントアセンブリを貫く断面図である。
【図４】図１〜３のマウントアセンブリを貫く等角断面図である。
【図５】図１〜４のマウントアセンブリからの基部を貫く等角断面図である。
【図６】図１〜５のマウントアセンブリからの弾性要素の等角図である。
【図７】本発明の第２の実施形態によるマウントアセンブリの等角図である。
【図８】図７のマウントアセンブリの端面図である。
【図９】図７及び図８のマウントアセンブリの断面端面図である。
【図１０】図７〜９のマウントアセンブリからのマウントの等角図である。
【図１１】図１０のマウントを貫いて得られた断面図である。
【図１２】第３の実施形態によるマウントアセンブリを上方視点から見た等角図である。
【図１３】図１２のマウントアセンブリを下方視点から見た等角図である。
【図１４】図１２及び図１３のマウントアセンブリからのロッド及びキャリッジを貫く断面図である。
【図１５】キャプティブアセンブリの視認を可能にすべくキャリッジを取り外した、図１２〜１４のマウントアセンブリからのロッド及びキャプティブアセンブリを貫く断面図である。
【発明を実施するための形態】
【００４１】
以下の説明において、同様の参照符号は図面全体にわたって同様の、または対応する部分を示す。
【００４２】
ここで図１〜６を参照すると、ＨＶＡＣシステムのＡＨＵなどのエンジニアリングサービスアイテムのためのマウントアセンブリが示されている。
【００４３】
マウントアセンブリ１は、基部２と、アイテム（すなわちＡＨＵ）のためのアイテム取付点４と、基部２及びアイテム取付点４の間に挟まれる弾性要素６とを含み、アイテム取付点４は弾性要素６から吊るされる。
【００４４】
基部２は、金属または剛塑性材料などの硬質材料の本体８を含み、基部の本体８は、開口部（円形ボア）１２を取り囲む雌ねじ、すなわち内部ねじ１４（図３及び図４参照）を有するカラー１０と、カラー１０を取り囲むフランジ１６とを含む。フランジ１６は、複数のボルト穴１８を含み、ボルト穴１８を介して、使用時に基部の本体８を地面／床面または台座にボルト止めすることができる。ゴムシール１９（用途に応じて選択自由）を、フランジ１６の下に配置することができる。
【００４５】
弾性要素６は、ゴム、合成ゴム、または熱可塑性加硫物などの弾力性のエラストマ材料の固体２０を含む。図６を参照すると、固体２０は、雄ねじ、すなわち外部ねじ２２を含む円筒形部分を含むことがわかり、円筒形部分と外部ねじ２２の両者が、カラー１０の内部ねじ１４と螺合（すなわち、ねじ込まれる）すべく適合される。
【００４６】
外部ねじ２２は並目ねじであり、固体２０内に成型されているため、外部ねじ２２と内部ねじ１４との間にそれぞれ隙間が設けられている。
【００４７】
図３及び図４を参照すると、この実施形態では、アイテム取付点４は、弾性要素６の固体２０に埋め込まれたファスナのためのナット２４の形態であるアイテム取付けメンバを含み、したがって、弾性要素６によって捕捉され、保持される。ボア２６は、弾性要素６を貫通しており、ボルト２８の軸部である隙間嵌めがナット２４に螺合されているとき、隙間嵌めを受けている。キャプティブボルトに対して、キャプティブナットであるナット２４を使用することにより、異なる空調ユニットに適応すべくボルト長さを選択することができる。
【００４８】
スプリットサイクル空気調和機（ＡＨＵの一例）の従来の室外ユニットは、ユニットの対向する端部、またはその反対側に配置された、４フィートの細長い本体を含む。
【００４９】
使用時には、基部２のフランジ１６を地面／床面／フレームのうち１つにボルトで固定し、取付けのためのボルト２８の軸部を各足に提供された穴に通し、ボルト２８を弾性要素６のキャプティブナットであるナット２４に螺合する。
【００５０】
弾性要素６がカラー１０内に螺合される程度は、必要に応じて選択され、室外ユニットを水平にするのを助けることができる。任意で、スパナまたはレンチによる回転を容易にするために、弾性要素６に一対の対向する平坦面を形成することができる。このようにして、各マウントアセンブリ１は、ＡＨＵの支持レベルの高さを調整する手段を含む。
【００５１】
高さ調整を容易にすることに加えて、剛性を有するカラー１０は、弾性要素６を取り囲み、側壁保持を提供する。したがって、地震で生成されたタイプの横方向負荷による早期破壊に対して弾性要素６を支持するが、弾性要素６の振動減衰を減少させない。
【００５２】
地震活動が地面及び基部２を順番に振動させる場合、弾性要素６は、確実に弾性変形するが、この振動の少なくとも一部を吸収し、振動のすべてがアイテム取付点４及びＡＨＵに伝達されるわけではない。このようにして、ＡＨＵがそのマウントから外れ、損傷を受ける可能性、または偶然に他者を傷つける可能性が減少する。更に、通常使用の間、弾性要素６はモータ及びファンなどのＡＨＵの回転構成要素によって生成される騒音及び振動を吸収し、これらの振動の基部２への伝達を低減させる。
【００５３】
ここで図７〜１１を参照すると、本発明の更なる実施形態による第２マウントアセンブリ１００が示されている。図１〜６のマウントアセンブリ１に示される、対応する部分と同一（またはほぼ同一）である第２マウントアセンブリ１００のこれらの部分は、同一の参照番号で示され、再度詳細に説明されない。
【００５４】
図９及び図１１を参照すると、第２マウントアセンブリ１００のアイテム取付点４は、弾性要素６内にヘッドを最初に埋め込んだ（すなわち、その軸部を外側に向けた）埋め込みボルト１０２の形態でアイテム取付点４を含むことがわかり、したがって、弾性要素６によって捕捉され、保持される。ワッシャ１０３は、埋め込みボルト１０２のヘッドに溶接され、回転への抵抗を助ける。
【００５５】
しかし、第２マウントアセンブリ１００のアイテム取付点４は、マウントアセンブリ１（上述）のアイテム取付点４と同じであってもよく、異なっていてもよいことを理解されたい。
【００５６】
基部２は、支持レール１２０と摺動可能に係合するために適合されたキャリッジ１１０に対して固定されている。この固定は、接着剤、共成型、またはファスナを含む任意の適切な方法によるものであってもよい。
【００５７】
キャリッジ１１０は、ゴムまたは熱可塑性加硫物などの弾性材料の略直方体形状の略直方体固体１１２を含み、前記略直方体固体１１２は、一対の側面１１４と、一対の端部１１６と、上面及び底面とを含む。本体の各々の側面１１４は、対になる端部１１６の間に延在するガイドスロット１１８を含む。
【００５８】
支持レール１２０は、スロット１２４を含むチャネル１２２と、その長さ全体にわたって実質的に一定の断面形状とを含む。この断面形状は、床面１２６と、対向する一対の側部１２８と、対向する一対の側部１２８の各々から内側に伸び、その後下方に伸びるように湾曲した縁部１３０とを含む。支持レールの床面には、複数の貫通孔である開口部１３２（本実施形態ではスロット）が設けられている。これらの開口部１３２は、チャネルに捕捉され得る任意の水の排水を可能にする。
【００５９】
ガイドスロット１１８は、キャリッジ１１０のヘッド部Ｈ及びテール部Ｔの間に位置するキャリッジ１１０のネック部Ｎを形成する。
【００６０】
使用時には、第２マウントアセンブリ１００は、支持レール１２０に摺動可能に係合する。その際、支持レール１２０の縁部１３０は、ガイドスロット１１８内に位置し、テール部Ｔをアンダカットして、前記テール部Ｔを支持レール１２０に捕捉させるが、キャリッジのヘッド部Ｈは支持レール１２０に載っている。
【００６１】
したがって、第２マウントアセンブリ１００は、支持レール１２０によって摺動可能に保持され、この方法で、支持レール１２０に沿った前記第２マウントアセンブリ１００の位置を必要に応じて迅速かつ容易に調整することができる。図１〜６の実施形態の場合と同様に、弾性要素６がカラー１０に螺合される程度は、必要に応じて選択されて、室外ユニットを水平にすることを助けることができる。このようにして、各第２マウントアセンブリ１００は、ＡＨＵの支持レベルの高さを調整する手段を含む。
【００６２】
使用時には、支持レール１２０は、地面／床面／フレームの１つに固定（例えば、ボルト止めまたは溶接）され、キャリッジ１１０は支持レール１２０によって摺動可能に保持される。支持レール１２０に沿った第２マウントアセンブリ１００の位置は、必要に応じて迅速かつ容易に調整され、ＡＨＵは埋め込みボルト１０２に固定される。
【００６３】
地震活動が地面及び支持レール１２０の振動を引き起こす場合、弾性要素６及びキャリッジ１１０の両方が確実に弾性変形するが、この振動の少なくとも一部は吸収され、すべての振動が埋め込みボルト１０２及びＡＨＵに伝達されるわけではない。このようにして、ＡＨＵがマウントから外れて損傷を受ける可能性、または偶然に他者を傷つける可能性は減少する。更に、通常使用の間、弾性要素６及びキャリッジ１１０の両者は、モータ及びファンなどのＡＨＵの回転構成要素によって生成される騒音及び振動を吸収し、これらの振動の支持レール１２０への伝達を低減する。
【００６４】
ここで図１２〜１４を参照すると、本発明の更なる実施形態による第３マウントアセンブリ２００が示されている。図７〜１１の第２マウントアセンブリ１００に示される、対応する部分と同一（またはほぼ同一）である第３マウントアセンブリ２００のこれらの部分は、同一の参照番号で示され、再度詳細に説明されない。
【００６５】
第３マウントアセンブリ２００のアイテム取付点４は、キャリッジ１１０に埋め込まれたキャプティブアセンブリ２０２を含み、キャリッジ１１０によって捕捉され、保持される。キャプティブアセンブリ２０２は、ねじ込みブッシュ２０２ａと、ねじ込みブッシュ２０２ａに溶接されたねじ込みワッシャ２０２ｂとを含む。キャリッジ１１０は、ねじ込みブッシュ２０２ａのねじ孔に位置合わせされた貫通孔２０４を含み、寸切ボルト２０６がねじ込みブッシュ２０２ａに螺合され、貫通孔２０４を介してキャリッジ１１０を貫通することができる。寸切ボルト２０６の位置は、固定ナット２０８及び固定ワッシャ２１０によって固定される。
【００６６】
使用時には、支持レール１２０は懸架位置に取り付けられ、第３マウントアセンブリ２００は支持レール１２０に摺動可能に係合し、寸切ボルト２０６はキャリッジ１１０から下方に延在し、支持レール１２０の開口部１３２の１つを貫通する。このようにして、例えば、ファンコイルユニットまたはＨＶＡＣシステムのカセットユニットなどのエンジニアリングサービスアイテムを、寸切ボルトから吊るすことができる。
【００６７】
キャリッジ１１０は、寸切ボルト２０６及び支持レール１２０の間に挟まれる弾性材料の略直方体形状の略直方体固体１１２を含むため、第３マウントアセンブリ２００は、吊り荷が外れて下にいる人々に落ちることなく、地震などの地震活動に伴う激しい衝撃負荷を吸収することができる。
【００６８】
上述の説明では、空調システムの室外ユニットのためのマウントとしてのマウントアセンブリの使用について説明したが、用途はこれに限定されない。例えば、振動防止、及び支持レベリングを必要とするポンプ、モータ、または他の電気器具のために使用されてもよく、したがって、用語「エンジニアリングサービス」のために使用され得る。
【００６９】
本明細書及び添付の特許請求の範囲を通じて、文脈上必要でない限り、「含む（comprise）」「包含する（include）」という語、及び「含んでいる（comprising）」「包含している（including）」などの変形は、記載された整数または整数の群の包含を意味すると理解されるが、任意の他の整数または整数の群を除外するものではない。
【００７０】
本明細書中の任意の先行技術の参照は、そのような先行技術が共通の一般常識の一部を形成するという、いかなる種類の示唆の確認としても見なされず、見なされるべきではない。
【００７１】
当業者であれば、本発明の使用は、記載された特定の用途に限定されないことを理解するであろう。また、本発明は、本明細書に記載または図示される特定の要素、及び／または特徴に関して好ましい実施形態に限定されない。本発明は、開示された１つ、または複数の実施形態に限定されるものではなく、添付の特許請求の範囲に記載され、かつ定義された本発明の範囲から逸脱することなく多数の再構成、修正、及び置換が可能であることが理解されよう。
【図１】
0006712284.tif 000002
【図２】
0006712284.tif 000003
【図３】
0006712284.tif 000004
【図４】
0006712284.tif 000005
【図５】
0006712284.tif 000006
【図６】
0006712284.tif 000007
【図７】
0006712284.tif 000008
【図８】
0006712284.tif 000009
【図９】
0006712284.tif 000010
【図１０】
0006712284.tif 000011
【図１１】
0006712284.tif 000012
【図１２】
0006712284.tif 000013
【図１３】
0006712284.tif 000014
【図１４】
0006712284.tif 000015
【図１５】
0006712284.tif 000016